(57)【要約】      （修正有）【課題】流し台のフチに引っ掛けて、省スペースで使用出来るまな板置きを提供する。【解決手段】流し台のフチの引っ掛け部７と一つ又は複数個のまな板の滑り止め部８からなるまな板台２と、先端にシンクの滑り止め部９を設けてある流し台の深さに応じて長さ調節可能な機構１０を有する脚部３とが折りたたみ可動保持部５の回転軸４を介して、取り外し可能な安全ロック部６とを結合して構成する。使用時には、手前の流し台のフチに引っ掛けたまな板台２と脚部３とを、折りたたみ可動部５にある回転軸４を介して約９０度全開に広げる。また、収納の際も取り外し可能な安全ロック部６を解除して約９０度に広げた状態から回転軸４を介してまな板台２と脚部３とを折りたたむことでおこなう。【選択図】図１
0003148270.tif 000002
【実用新案登録請求の範囲】
【請求項１】
流し台のフチの引っ掛け部（７）と一つ又は複数個のまな板の滑り止め部（８）からなるまな板台（２）と、先端にシンクの滑り止め部（９）を設けてある流し台の深さに応じて長さ調節可能な機構（１０）を有する脚部（３）とが折りたたみ可動保持部（５）の回転軸（４）を介して、取り外し可能な安全ロック部（６）と共に結合されている事を特徴とするまな板置き（１）。
【考案の詳細な説明】
【技術分野】
【０００１】  本考案は、流し台のフチに引っ掛けて、省スペースで使用出来るまな板置きに関する。
【背景技術】
【０００２】  従来、まな板を置くスペースに最近は食器洗浄器や食器乾燥機を置いているためまな板を置く事が出来ず、例えば、作業者から見て短手方向である手前から蛇口のある奥まで流し台のシンクの上に橋渡しして置いた状態で、まな板の端面を置き、もう一方の端面を流し台の長手方向の左右どちらかのフチに置いて橋渡しした状態でまな板を使用出来るまな板置きが知られている。
もちろんまな板置きを使用出来ない小さい流し台においては、流し台の角にまな板を置いて大変不安定な状態でまな板を使用していた。
【考案の開示】
【考案が解決しようとする課題】
【０００３】  しかしながら、従来のまな板置きは作業者の手前から奥まで完全にシンクをふさぎ更にその下はデッドスペースとなっていた。
又、橋渡しする長さや幅が大きくなるので、まな板を片付けた後にまな板置きを片付けるにはかなりのスペースが必要となり、そのまま洗った食器類やボウル等の置き場所となってしまう事がほとんどで、シンクの使用スペースを更に狭いものとなる欠点があった。
本考案の目的はこれら従来の課題を解決し、省スペースで使用出来、コンパクトに収納出来るまな板置きを提供出来るようにする。
【課題を解決するための手段】
【０００４】  上記課題を解決するために本考案は、流し台のフチの引っ掛け部（７）と一つ又は複数個のまな板の滑り止め部（８）からなるまな板台（２）と、先端にシンクの滑り止め部（９）を設けてある流し台の深さに応じて長さ調節可能な機構（１０）を有する脚部（３）とが折りたたみ可動保持部（５）の回転軸（４）を介して、取り外し可能な安全ロック部（６）と共に結合されている事を特徴としたまな板置き（１）である。
【考案の効果】
【０００５】  本考案のまな板置きは、以上のような構成であるため、まな板使用時に作業者の手前の流し台のフチに引っ掛けたまな板台（２）と脚部（３）とが、折りたたみ可動部（５）にある回転軸（４）を介して約９０度全開に広げた状態として使用するため、シンクをふさぐ事が無く、デッドスペースの無い優れたものとなる。
又、収納の際も取り外し可能な安全ロック部（６）を解除して約９０度に広げた状態から回転軸（４）を介してまな板台（２）と脚部（３）とが折りたたんでコンパクトに収納出来る優れたものとなる。
【考案を実施するための最良の形態】
【０００６】  本考案におけるまな板置きの大きさ、デザイン、厚み、材質、製造方法等は特に限定される事はないが、ステンレスの金属材又は樹脂成形されたものがあげられる。
もちろん流し台のフチの引っ掛け部の幅、デザインや材質等も限定される事はないが、金属であれば熔接、樹脂であれば切り欠いて形成される事が望ましい。なおこの部分に流し台のフチが滑らないようにゴム系等の材質のもので滑り止め部を設けている事が好ましい。
もちろんまな板台（２）のまな板を乗せる部分にも１つ又は複数の滑り止め部を設けておく事が好ましい。
長さ調節可能な脚部（３）はシンクの深さに合わせて、使用者の使い勝手の良い様に調節出来るものであれば、例えばネジ止め式、ラチェット式、スライド勘合式等が好ましい。
これらまな板台（２）と脚部（３）とを介して約９０度まで回転して開く回転軸（４）は金属や樹脂製であっても良く、折りたたみ可動保持部（５）において外れないように回転軸（４）は係止されている。
取り外し可能な安全ロック部（６）は、まな板台（２）と脚部（３）が開いた時に装着されてまな板使用時に折りたたみ事故を防止するもので、その機能を満たすものであれば、一方の端面をリベット留め等でまな板台（２）の側面に自由に回転するように設けておき、使用時にそのもう一方の端面の凹み部分を脚部（３）に予め設けてある引っ掛け軸に引っ掛けてロックする構造があげられるがこれによって安全ロック部（６）の機構や構造が限定される事はない。
【実施例】
【０００７】  以下、本考案の一実施例を、図１及び図２で説明するがこれによって本考案はなんら限定されるものではない。【０００８】  図１は本考案の金属製のまな板置き（１）の一例を示す斜視図であり、複数のステンレスパイプ材で出来たまな板台（２）の裏側に流しのフチの引っ掛け部（７）が形成され、その表面には、まな板の滑り止め部（８）としてゴム材が張り付けられている。
一方脚部（３）は流し台のシンクの深さに応じてネジ止め式で長さ調節可能な機構（１０）としており、その先端部にはシンクとの滑り止め部（９）がもうけられている。
これらは折りたたみ可動保持部（５）の回転軸（４）を介して、取り外し可能な安全ロック部（６）とともに結合されており、この回転軸（４）を中心に使用時には約９０度まで広げて安全ロック部（６）を固定して使用するものである。もちろん収納時は安全ロック部（６）を解除して、回転軸（４）を中心にまな板台（２）と脚部（３）とが折りたたんだ状態でコンパクトに収納出来、場合によっては、まな板台（２）又は脚部（３）の一部を形成する部分を壁などに設けたフック等に引っ掛けておく事が出来るものとなる。
図２は図１のまな板置き（１）を折りたたんだ状態を示す斜視図である。
【産業上の利用の可能性】
【０００９】  まな板使用時に作業者の手前の流し台のフチに引っ掛けたまな板台（２）と脚部（３）とが、折りたたみ可動部保持部（５）にある回転軸（４）を介して約９０度全開に広げた状態として使用するため、シンクをふさぐ事が無く、デッドスペースの無い優れたものとなり、収納の際も取り外し可能な安全ロック部（６）を解除して約９０度に広げた状態から回転軸（４）を介してまな板台（２）と脚部（３）とが折りたたんでコンパクトに収納出来る優れたまな板置き（１）となる。
【図面の簡単な説明】
【００１０】
【図１】  本考案の一例を示す斜視図である。
【図２】  本考案の一例を示す斜視図である。
【符号の説明】
１  まな板置き    ２  まな板台    ３  脚部    ４  回転軸
５  折りたたみ可動保持部    ６  安全ロック部    ７  流しのフチの引っ掛け部
８  まな板の滑り止め部    ９  シンクとの滑り止め部
１０  長さ調節可能な機構
【図１】
0003148270.tif 000003
【図２】
0003148270.tif 000004